(57)【要約】【課題】携帯決済端末装置における磁気カード読み取り用の案内溝に、特段の付加的な構成を設けることなく、使用環境下でゴミやほこりなどによる汚損を回避できる構成を提供する。【解決手段】少なくとも表面２１及び裏面２２を有する筐体２０と、前記表面２１に設けられる、表示画面３１及び操作キー３２を備えた操作部３０と、前記裏面２２に設けられる、磁気カード読み取り用の案内溝４０と、を備える、携帯決済端末装置１０。【選択図】図２
2020091677.tif 000002
【特許請求の範囲】
【請求項１】
少なくとも表面及び裏面を有する筐体と、
前記表面に設けられる、表示画面及び操作キーを備えた操作部と、
前記裏面に設けられる、磁気カード読み取り用の案内溝と、
を備える、携帯決済端末装置。
【請求項２】
前記表示画面の裏側に非接触式ＩＣカード読み取り用のリーダが内蔵されている、請求項１に記載の携帯決済端末装置。
【請求項３】
前記筐体は六面体であり、前記表面が平面側に相当し、前記裏面が底面側に相当するとともに、
前記表面及び前記裏面以外の面に、接触式ＩＣカード読み取り用のカードスロットが設けられている、請求項１又は請求項２に記載の携帯決済端末装置。
【請求項４】
前記筐体は六面体であり、前記表面が平面側に相当し、前記裏面が底面側に相当するとともに、
前記表面及び前記裏面以外の対向する２面に、凹部が形成され、
前記凹部に操作ボタンが形成されている、請求項１から請求項３までのいずれか１項に記載の携帯決済端末装置。
【請求項５】
前記裏面に、吊り下げ用の穴が形成された吊り下げ具が設けられている、請求項１から請求項４までのいずれか１項に記載の携帯決済端末装置。
【請求項６】
前記表面に、外方に突出した凸部が形成されている、請求項１から請求項５までのいずれか１項に記載の携帯決済端末装置。
【請求項７】
表面及び裏面を含む六面体の筐体と、
前記表面に設けられる、表示画面及び操作キーを備えた操作部と、
前記裏面に設けられるとともに、前記表面及び前記裏面以外の対向する２面の間を連結するように形成される、磁気カード読み取り用の案内溝と、
前記表面と前記裏面以外の対向する２面において、操作ボタンが形成された凹部と、
前記裏面に設けられるとともに、前記対向する２面とは別の１面の側へ張り出し、かつ、吊り下げ用の穴が形成された吊り下げ具と、
を備える、携帯決済端末装置。
【請求項８】
前記案内溝は、前記別の１面と対向する１面の側に寄った位置に形成される、請求項７に記載の携帯決済端末装置。
【発明の詳細な説明】
【技術分野】
【０００１】
本発明は、携帯決済端末装置に関する。
【背景技術】
【０００２】
従来から、磁気カードで決済を行うための機能、接触式ＩＣカードで決済を行うための機能、非接触式ＩＣカードで決済を行うための機能の全てをオールインワンで搭載した携帯決済端末装置が存在する。たとえば、このような携帯決済端末装置として、下記の特許文献１に記載の技術がある。
【０００３】
また、このような携帯決済端末装置は、たとえばタクシー内のような移動環境下でカード決済を行うために、従来から導入されている。携帯決済端末装置は、下記の特許文献２に記載の技術のように、たとえば、車載用通信装置と接続され、車載用通信装置を介して種々の装置と通信が可能となっている。さらに、携帯決済端末装置では、下記の特許文献３に示すように、決済に必要な操作部及び表示部並びにカード読み取り部などが全て正面にある。
【先行技術文献】
【特許文献】
【０００４】
【特許文献１】特許第５７３８００８号公報
【特許文献２】特開２０１６−１６４５０３号公報
【特許文献３】特開２００７−２１９６５４号公報
【発明の概要】
【発明が解決しようとする課題】
【０００５】
たとえばタクシー車内では、携帯決済端末装置はダッシュボードにフックなどを利用して吊り下げられたり、また、センターコンソール上に置かれていたりする。その場合操作部及び表示部並びにカード読み取り部がある装置の正面側は当然、運転手から視認される側を向いている。すなわち、ダッシュボードに吊り下げられている場合には装置の正面側は車両の後方を向いており、また、センターコンソール上に置かれている場合には車両の上方を向いている。
【０００６】
ここで、タクシー車内という狭く、暗い環境で携帯決済端末装置を使用すると、特に磁気カード読み取り部は、その機能上、スリット状の案内溝を有しているため、ゴミやほこりで汚れてしまうことが多く、また、それに気づきにくい。そして、汚れたまま使用し続けることで、携帯決済端末装置が故障したり、また決済処理の際にカード読み取りに支障を来すこともある。携帯決済端末装置を店内で使用する場合にも同じことがいえる。
【０００７】
なお、磁気カード読み取り部の案内溝に蓋やフラップなどの被覆部材を設けて非使用時にはこれでスリットを被覆し、使用時にこの被覆部材を取り外し又は開放して案内溝を露出させる方法も考えられる。しかしこの方法は、被覆部材の紛失又は破損をもたらしやすく、また決済処理の際の煩雑さを増すことになる。さらには、スキミング防止等のセキュリティの面で問題があり、実際には採用することが困難ないし不可能である。
【０００８】
そこで、本開示は、携帯決済端末装置における磁気カード読み取り用の案内溝に、特段の付加的な構成を設けることなく、使用環境下でゴミやほこりなどによる汚損を回避できる構成を提供することを課題とする。
【課題を解決するための手段】
【０００９】
上記課題を解決するために、本開示の第１の態様の携帯決済端末装置は、少なくとも表面及び裏面を有する筐体と、前記表面に設けられる、表示画面及び操作キーを備えた操作部と、前記裏面に設けられる、磁気カード読み取り用の案内溝と、を備える。
【００１０】
本態様では、携帯決済端末装置が非使用時に壁面（たとえば、タクシー車内のダッシュボード）に吊り下げられている場合に、操作部を備えた筐体の表面が室内側を向いているときには、案内溝を有する筐体の裏面は壁面側を向いている。また、携帯決済端末装置が非使用時に平坦面（たとえば、タクシー車内のセンターコンソール）に置かれている場合に、操作部を備えた筐体の表面が上方を向いているときには、案内溝を有する筐体の裏面は下方を向いている。よって、上記構成により、携帯決済端末装置は非使用時には筐体の裏面が常に筐体によって隠れているため、案内溝にゴミやほこりが入りにくくなっている。
【００１１】
本開示の第２の態様の携帯決済端末装置は、第１の態様の構成に加え、前記表示画面の裏側に非接触式ＩＣカード読み取り用のリーダが内蔵されている。
【００１２】
上記構成により、表面の側に、ゴミやほこりの付着の影響が少ない読み取り手段を設けることができる。
【００１３】
本開示の第３の態様の携帯決済端末装置は、第１又は第２の態様の構成に加え、前記筐体は六面体であり、前記表面が平面側に相当し、前記裏面が底面側に相当するとともに、前記表面及び前記裏面以外の面に、接触式ＩＣカード読み取り用のカードスロットが設けられている。
【００１４】
上記構成により、表面や裏面以外の面にも読み取り手段を設けることができる。
【００１５】
本開示の第４の態様の携帯決済端末装置は、第１〜第３のいずれかの態様の構成に加え、前記筐体は六面体であり、前記表面が平面側に相当し、前記裏面が底面側に相当するとともに、前記表面及び前記裏面以外の対向する２面に、凹部が形成され、前記凹部に操作ボタンが形成されている。
【００１６】
ここで、「対向する２面」とは、六面体において互いに接していない２面をいう。上記構成により、磁気カードによる決済の際に携帯決済端末装置が手渡しなどによって移動させられる際に、たとえば側面に設けた操作ボタン（たとえば、電源ボタン）が誤って操作される可能性を低減させることができる。
【００１７】
本開示の第５の態様の携帯決済端末装置は、第１〜第４のいずれかの態様の構成に加え、前記裏面に、吊り下げ用の穴が形成された吊り下げ具が設けられている。
【００１８】
上記構成により、吊り下げ具が裏面に設けられているので、壁面（たとえば、タクシー車内のダッシュボード）に設けられたフックにこの吊り下げ具を掛けたときに、裏面が自ずと壁面側を向くことになる。よって、案内溝にゴミやほこりが入りにくくなっている。
【００１９】
本開示の第６の態様の携帯決済端末装置は、第１〜第５のいずれかの態様の構成に加え、前記表面に、外方に突出した凸部が形成されている。
【００２０】
上記構成により、磁気カードによる決済のために裏面を上にして携帯決済端末装置を平坦面（たとえば、タクシー車内のセンターコンソール）の上に載置したときに、表面の凸部のみが平坦面と接触し、操作部が平坦面とは直に接触しない。よって、操作部が平坦面と接触することによる誤操作を回避することができる。
【００２１】
本開示の第７の態様の携帯決済端末装置は、表面及び裏面を含む六面体の筐体と、前記表面に設けられる、表示画面及び操作キーを備えた操作部と、前記裏面に設けられるとともに、前記表面及び前記裏面以外の対向する２面の間を連結するように形成される、磁気カード読み取り用の案内溝と、前記表面と前記裏面以外の対向する２面において、操作ボタンが形成された凹部と、前記裏面に設けられるとともに、前記対向する２面とは別の１面の側へ張り出し、かつ、吊り下げ用の穴が形成された吊り下げ具と、を備える。
【００２２】
上記構成により、携帯決済端末装置は非使用時には筐体の裏面が常に筐体によって隠れているため、案内溝にゴミやほこりが入りにくくなっている。また、磁気カードによる決済のために携帯決済端末装置が手渡しなどによって移動させられる際に、たとえば側面に設けた操作ボタン（たとえば、電源ボタン）が誤って操作される可能性を低減させることができる。さらに、吊り下げ具が裏面に設けられているので、壁面（たとえば、タクシー車内のダッシュボード）に設けられたフックにこの吊り下げ具を掛けたときに、裏面が自ずと壁面側を向くことになる。よって、案内溝にゴミやほこりが入りにくくなっている。
【００２３】
本開示の第８の態様の携帯決済端末装置は、第７の態様の構成に加え、前記案内溝は、前記別の１面と対向する１面の側に寄った位置に形成される。
【００２４】
上記構成により、案内溝が、筐体の中央付近の領域を外れた位置に設けられているため、筐体に内蔵される種々の基板の配置に大きな制約を与えずに済む。
【発明の効果】
【００２５】
本開示の態様によれば、携帯決済端末装置における磁気カード読み取り用の案内溝に、特段の付加的な構成を設けることなく、使用環境下でゴミやほこりなどによる汚損を回避できる構成を提供することができる。
【図面の簡単な説明】
【００２６】
【図１】実施形態に係る携帯決済端末装置の平面図である。
【図２】実施形態に係る携帯決済端末装置の底面図である。
【図３】実施形態に係る携帯決済端末装置の正面図である。
【図４】実施形態に係る携帯決済端末装置の背面図である。
【図５】実施形態に係る携帯決済端末装置の右側面図である。
【図６】実施形態に係る携帯決済端末装置の左側面図である。
【発明を実施するための形態】
【００２７】
以下、本発明の実施形態を、図面を参照しつつ説明する。本実施形態では、携帯決済端末装置１０の筐体２０は略六面体形状、具体的には略直方体形状を呈しており、この携帯決済端末装置１０が平坦面上に載置された状態を想定して、最も面積の大きい面を平面（図１）及び底面（図２）と称し、これらに次いで面積の大きい面を右側面２５（図５）及び左側面２６（図６）と称し、最も面積の小さい面を正面２３（図３）及び背面２４（図４）と称する。
【００２８】
＜平面＞
図１は、本実施形態の携帯決済端末装置１０の平面図であり、平面として、操作部３０が設けられる筐体２０の表面２１が現れている。換言すると、表面２１は、六面体としての携帯決済端末装置１０の平面側に相当する。操作部３０は、液晶表示器にて構成される表示画面３１と、テンキーにて構成される操作キー３２とからなる。表示画面３１の裏側には、表面２１からは視認できない、非接触式ＩＣカード読み取り用のリーダ４１が内蔵されている。リーダ４１は、非接触式ＩＣカード（ＩＣチップを内蔵したスマートフォンや携帯電話等の決済可能な通信機器を含む）内に記録されるカード情報の読み取り、及び書き込みを行う図示しない非接触式ＩＣカードリーダのアンテナにより構成されている。
【００２９】
表面２１において、背面２４（図４参照）の近傍部分は、表面２１の短手方向に沿って外方、すなわち平面方向に突出した凸部２８として形成されている（図５及び図６参照）。
【００３０】
なお、平面視において、ケーブル５１及びその先端に形成されて背面２４（図４参照）に接続されるコネクタ５０、同じく背面２４（図４参照）に螺着される２個の取付ネジ８０、コネクタ５０と各取付ネジ８０とを連結するコネクタ金具７０並びに底面（図２参照）に装着されるとともに穴１１Ａを有する吊り下げ具１１がそれぞれ視認される。なお、ケーブル５１は、図示しない中枢操作装置（たとえば、車載通信装置）と携帯決済端末装置１０とを接続する。
【００３１】
＜底面＞
図２は、本実施形態の携帯決済端末装置１０の底面図であり、底面として、案内溝４０が設けられる筐体２０の裏面２２が現れている。換言すると、裏面２２は、六面体としての携帯決済端末装置１０の底面側に相当する。案内溝４０は、正面２３（図３参照）の側に寄った位置において、裏面２２の短手方向に沿って、右側面２５（図５参照）と左側面２６（図６参照）とを連結するように形成された、磁気カード読み取り用の溝である。この案内溝４０に沿って磁気カードの磁気記録部分を通過させることで、磁気カードによる決済が行われる。裏面２２の中央には、バッテリーカバー２９が着脱可能に装着されている。
【００３２】
また、裏面２２において、背面２４（図４参照）の近傍部分に、背面方向に張り出した吊り下げ具１１が装着されている。この吊り下げ具１１には、穴１１Ａが設けられており、壁面（たとえば、タクシー車内のダッシュボード）に設置されたフックをこの穴１１Ａに引っ掛けることで、携帯決済端末装置１０を壁面に吊り下げることができる。
【００３３】
なお、底面視においても、ケーブル５１及び背面２４（図４参照）に接続されるコネクタ５０、同じく背面２４（図４参照）に螺着される２個の取付ネジ８０、並びにコネクタ５０と各取付ネジ８０とを連結するコネクタ金具７０がそれぞれ視認される。
【００３４】
＜正面＞
図３は、本実施形態の携帯決済端末装置１０の正面図であり、カードスロット４２が設けられる筐体２０の正面２３が現れている。カードスロット４２には、接触式ＩＣカードを挿入することで、筐体２０に内蔵されている接触式ＩＣカードリーダによって接触式ＩＣカードによる決済が可能となっている。
【００３５】
＜背面＞
図４は、本実施形態の携帯決済端末装置１０の背面図であり、筐体２０の背面２４が現れている。背面２４には、コネクタ５０が装着され、また、２個の取付ネジ８０がコネクタ５０の両側に螺着される。これらのコネクタ５０及び２個の取付ネジ８０は、コネクタ金具７０で連結されている。なお、コネクタ５０が先端に形成されているケーブル５１は本図では断面で示されている。
【００３６】
なお、背面視において、裏面２２（図２参照）に装着される吊り下げ具１１が視認される。
【００３７】
＜右側面＞
図５は、本実施形態の携帯決済端末装置１０の右側面図であり、筐体２０の右側面２５が現れている。右側面２５には、長手方向に沿った紡錘形状の凹部２７が形成されており、その凹部２７の底に操作ボタン１２が１個設けられている。凹部２７は右側面２５から陥凹した形状に形成されているため、凹部２７の底に設けられている操作ボタン１２は右側面２５とは面一ないし僅かに低い位置にある。そのため、右側面２５及び左側面２６（図６参照）を把持して携帯決済端末装置１０を移動させても、操作ボタン１２の誤操作は起こりにくくなっている。
【００３８】
また、右側面２５からは、裏面２２（図２参照）に設けられる案内溝４０の端縁が視認される。さらに、表面２１（図１参照）に設けられる凸部２８が外方、すなわち平面方向（図中では左方向）に突出している状態も視認される。
【００３９】
なお、右側面視においても、ケーブル５１及び背面２４（図４参照）に接続されるコネクタ５０、同じく背面２４（図４参照）に螺着される２個の取付ネジ８０のうちの一方、コネクタ５０と各取付ネジ８０とを連結するコネクタ金具７０並びに裏面２２（図２参照）に装着される吊り下げ具１１がそれぞれ視認される。
【００４０】
＜左側面＞
図６は、本実施形態の携帯決済端末装置１０の左側面図であり、筐体２０の左側面２６が現れている。左側面２６には、長手方向に沿った紡錘形状の凹部２７が形成されており、その凹部２７の底に操作ボタン１２が４個設けられている。凹部２７は左側面２６から陥凹した形状に形成されているため、凹部２７の底に設けられている操作ボタン１２はいずれも左側面２６とは面一ないし僅かに低い位置にある。そのため、右側面２５（図５参照）及び左側面２６を把持して携帯決済端末装置１０を移動させても、操作ボタン１２の誤操作は起こりにくくなっている。
【００４１】
また、左側面２６からも、裏面２２（図２参照）に設けられる案内溝４０の端縁が視認される。さらに、表面２１（図１参照）に設けられる凸部２８が外方、すなわち平面方向（図中では右方向）に突出している状態も視認される。
【００４２】
なお、左側面視においても、ケーブル５１及び背面２４（図４参照）に接続されるコネクタ５０、同じく背面２４（図４参照）に螺着される２個の取付ネジ８０のうちの一方、コネクタ５０と各取付ネジ８０とを連結するコネクタ金具７０並びに裏面２２（図２参照）に装着される吊り下げ具１１がそれぞれ視認される。
【００４３】
＜作用＞
上記した構成から、本実施形態の携帯決済端末装置１０においては、吊り下げ具１１が裏面２２に装着されているので、非使用時においてこの吊り下げ具１１を壁面（たとえば、タクシー車内のダッシュボード）のフックに引っ掛けると、裏面２２は必然的に壁面側を向くことになり、室内の方向には案内溝４０は露出されない。
【００４４】
一方、本実施形態の携帯決済端末装置１０を、非使用時において平坦面（たとえば、タクシー車内のセンターコンソール）の上に載置する際には、操作部３０が設けられている表面２１を上向きにすることになるため、裏面２２は必然的に下向きになり、やはり案内溝４０は露出されない。なお、表面２１に形成されている凸部２８は平面方向に突出しているため（図５及び図６参照）、表面２１を下向きに置いた状態の不安定感を回避するため、勢い表面２１が上向きになるように載置されるようになる。
【００４５】
いずれの場合も、裏面２２の案内溝４０は非使用時には室内又は上方へは露出されることはなく、よって非使用時のゴミやほこりの侵入を防ぐことができる。
【００４６】
磁気カードによる決済の際には、携帯決済端末装置１０は、裏面２２を上にした状態で手で把持されるか、あるいは平坦面に裏面２２を上にして載置される。
【００４７】
ここで、平坦面に裏面２２を上にして携帯決済端末装置１０が載置されたときには、表面２１の凸部２８のみが平坦面と接し、表面２１のその他の部分は平坦面と接することはないため、表面２１に設けられている操作キー３２が誤操作されることはない。
【００４８】
そして、裏面２２の案内溝４０に磁気カードを通過させられれば、磁気カードによる決済処理が完了する。
【００４９】
非接触式ＩＣカードによる決済の際には、同様に図示しない中枢操作装置の操作ののち、表面２１の表示画面３１に非接触式ＩＣカードがかざされれば、内蔵されているリーダ４１によって非接触式ＩＣカードが認識され、決済が完了する。この間、表示画面３１には、同様に操作の案内及び決済処理の成否などが表示される。
【００５０】
接触式ＩＣカードによる決済の際には、同様に図示しない中枢操作装置の操作ののち、正面２３のカードスロット４２へ接触式ＩＣカードが挿入され、さらに表面２１の操作キー３２によって暗証番号などの数値情報が入力されることで、決済が完了する。この間、表示画面３１には、同様に操作の案内及び決済処理の成否などが表示される。
【００５１】
以上の各決済処理の間、携帯決済端末装置１０が手渡しなどで移動させられる際、主に右側面２５及び左側面２６が把持されることになる。その際、表面２１及び裏面２２以外の対向する２面である、右側面２５及び左側面２６に設けられている各操作ボタン１２は、それぞれ凹部２７の底に設けられているため、手指によって誤って押下されることはない。
【００５２】
なお、案内溝４０は、吊り下げ具１１を上にして携帯決済端末装置１０が把持された状態では、吊り下げ具１１とは反対側である、裏面２２の下方側、にあり、また、凹部２７が形成されている右側面２５と左側面２６とを連結するような、筐体２０の短手方向に延在する溝として形成されている。さらに、通常は、右側面２５及び左側面２６における操作ボタン１２の近傍が把持される。よって、操作ボタン１２よりも下方に案内溝４０があり、手もとより下に案内溝４０が来ることになるため、操作性が良い。
【００５３】
また、案内溝４０は筐体２０の短手方向に延在しているため、長手方向に延在させた場合と比べ、筐体における案内溝４０の占有体積が少なくて済み、また、磁気カードを通すための長さも短くて済む。
【００５４】
さらに、一般的には、筐体２０の表面２１の操作部３０や表示画面３１の裏側に種々の基板が内蔵されているため、それらが主に位置する筐体２０の中央付近の領域から案内溝４０の位置は外れている。よって、案内溝４０の配置が筐体２０の内部における基板の配置にに大きな影響を与えずに済む。
【符号の説明】
【００５５】
１０  携帯決済端末装置    １１  吊り下げ具          １１Ａ  穴
１２  操作ボタン
２０  筐体                ２１  表面                ２２  裏面
２３  正面                ２４  背面                ２５  右側面
２６  左側面              ２７  凹部                ２８  凸部
２９  バッテリーカバー
３０  操作部              ３１  表示画面            ３２  操作キー
４０  案内溝              ４１  リーダ              ４２  カードスロット
５０  コネクタ            ５１  ケーブル
７０  コネクタ金具
８０  取付ネジ
【図１】
2020091677.tif 000003
【図２】
2020091677.tif 000004
【図３】
2020091677.tif 000005
【図４】
2020091677.tif 000006
【図５】
2020091677.tif 000007
【図６】
2020091677.tif 000008
【手続補正書】
【提出日】令和1年12月19日(2019.12.19)
【手続補正１】
【補正対象書類名】特許請求の範囲
【補正対象項目名】請求項１
【補正方法】変更
【補正の内容】
【請求項１】
少なくとも表面及び裏面を有するとともに長手方向と短手方向とを有する筐体と、
前記表面に設けられる、前記長手方向の一方の側に位置する表示画面及び前記長手方向の他方の側に位置する操作キーを備えた操作部と、
前記裏面において前記長手方向の前記他方の側に前記短手方向に沿って設けられる、磁気カード読み取り用の案内溝と、
を備える、携帯決済端末装置。
【手続補正２】
【補正対象書類名】特許請求の範囲
【補正対象項目名】請求項７
【補正方法】変更
【補正の内容】
【請求項７】
表面及び裏面を含むとともに長手方向と短手方向とを有する六面体の筐体と、
前記表面に設けられる、前記長手方向の一方の側に位置する表示画面及び前記長手方向の他方の側に位置する操作キーを備えた操作部と、
前記裏面において前記長手方向の前記他方の側に前記短手方向に沿って設けられるとともに、前記表面及び前記裏面以外の対向する２面の間を連結するように形成される、磁気カード読み取り用の案内溝と、
前記表面と前記裏面以外の対向する２面において、操作ボタンが形成された凹部と、
前記裏面に設けられるとともに、前記対向する２面とは別の１面の側へ張り出し、かつ、吊り下げ用の穴が形成された吊り下げ具と、
を備える、携帯決済端末装置。
【手続補正３】
【補正対象書類名】明細書
【補正対象項目名】０００９
【補正方法】変更
【補正の内容】
【０００９】
上記課題を解決するために、本開示の第１の態様の携帯決済端末装置は、少なくとも表面及び裏面を有するとともに長手方向と短手方向とを有する筐体と、前記表面に設けられる、前記長手方向の一方の側に位置する表示画面及び前記長手方向の他方の側に位置する操作キーを備えた操作部と、前記裏面において前記長手方向の前記他方の側に前記短手方向に沿って設けられる、磁気カード読み取り用の案内溝と、を備える。
【手続補正４】
【補正対象書類名】明細書
【補正対象項目名】００２１
【補正方法】変更
【補正の内容】
【００２１】
本開示の第７の態様の携帯決済端末装置は、表面及び裏面を含むとともに長手方向と短手方向とを有する六面体の筐体と、前記表面に設けられる、前記長手方向の一方の側に位置する表示画面及び前記長手方向の他方の側に位置する操作キーを備えた操作部と、前記裏面において前記長手方向の前記他方の側に前記短手方向に沿って設けられるとともに、前記表面及び前記裏面以外の対向する２面の間を連結するように形成される、磁気カード読み取り用の案内溝と、前記表面と前記裏面以外の対向する２面において、操作ボタンが形成された凹部と、前記裏面に設けられるとともに、前記対向する２面とは別の１面の側へ張り出し、かつ、吊り下げ用の穴が形成された吊り下げ具と、を備える。